(57)【特許請求の範囲】
【請求項１】
第一のトランジスタと、その第一のトランジスタの負荷電流に等しい電流が流れる第二のトランジスタとから成り、前記第一のトランジスタの制御端子とキャリア流入端子が前記第二のトランジスタの制御端子とキャリア流入端子に、それぞれ接続された第一のカレントミラー回路と、
前記第二のトランジスタの負荷回路に挿入され、その第二のトランジスタの負荷電流に等しい電流を１つ以上の負荷回路に供給するための第二のカレントミラー回路とを有し、定電流を１つ以上の負荷回路に供給するようにした定電流供給装置において、
前記第一のトランジスタの負荷回路を２つの並列接続された回路とし、それぞれに定電流源を設け、一方の前記定電流源から供給される負荷電流が前記第一のトランジスタに流れないようにバイパスさせるためのバイパス回路と、
前記バイパス回路に挿入され、制御信号により導通と非導通とが切り換わる第一の制御トランジスタと
前記第一の制御トランジスタの導通、非導通に応じて変化する前記負荷電流に応じて導通または非導通となり、その２値状態を出力する出力トランジスタとを有し、
前記第一の制御トランジスタの制御信号に応じて、前記出力トランジスタを直接導通または非導通とするための第二の制御トランジスタを前記出力トランジスタの制御端子に設けたこと
を特徴とする定電流供給装置。
【発明の詳細な説明】
【０００１】
【発明の属する技術分野】
本発明は、例えば車両のターンシグナルランプの点滅に用いられるフラッシャＩＣなどのような定電流を供給する回路装置に関する。
【０００２】
【従来の技術】
従来、定電流回路装置では、特公平５−３４６９０号公報に開示されている技術などが知られている。この技術は、温度変化による負荷抵抗値の変動に対して基準電圧を補正することで、主力電圧を補正し、温度変化に対して安定な負荷電流を得ることのできる構成としている。
この他には、図２に示されるように自動車のターンシグナルランプの点滅に用いられる定電流回路装置２０００が知られている。
この回路装置２０００は、カレントミラー回路１０２、２０４、内部ロジック回路Ｘ１、Ｘ２、及び出力制御回路２０１などから構成されている。内部ロジック回路Ｘ１、Ｘ２にはそれぞれ定電流を取り出すことのできる出力端子Ｙ１、Ｙ２が接続され、出力制御回路２０１のトランジスタ３７のコレクタ側にはインバータ７０を介してハイもしくはローレベルの出力が取り出せる出力端子ＯＵＴ１が接続されている。
この回路装置２０００では、カレントミラー回路２０４において定電流源７０から供給される電流値をＩに設定すると、カレントミラー回路１０２内のトランジスタ３０、３１、３２、及び３４を流れるミラー電流値もＩとすることができ、出力端子Ｙ１、Ｙ２を介して定電流出力を行う構成としている。
また、回路装置２０００は、ターンシグナルランプの起動のためにターンシグナルスイッチ（図示せず）からの信号を入力されると、入力端子ＩＮ７に一定周期にてハイもしくはローレベルの信号が入力される。
入力端子ＩＮ７にハイレベルの信号が入力されると、出力制御回路２０１内のトランジスタ３５がＯＮ動作し、そのコレクタとエミッタとの間に電流が流れるため、トランジスタ３７はＯＦＦとなる。よってインバータ７０の入力端子側はハイレベルとなり、出力端子ＯＵＴ１からローレベルの信号が出力される。
また、入力端子ＩＮ７にローレベルの信号が入力されると、トランジスタ３５はＯＦＦとなり、そのコレクタとエミッタとの間に電流は流れず、トランジスタ３７がＯＮ動作する。よってインバータ７０の入力端子側がローレベルとなり、出力端子ＯＵＴ１からハイレベルの信号が出力される。
このように、回路装置２０００は出力端子Ｙ１、Ｙ２からの定電流の出力と、出力端子ＯＵＴ１からのハイ／ローレベルの出力とを行う構成としている。
【０００３】
【発明が解決しようとする課題】
しかしながら、特公平５−３４６９０号公報に開示されている技術では、回路が非動作時の定電流特性については記載がなく、場合によってはシステム全体が非動作であっても無用な消費電流を発生するという問題がある。
また図２に示される装置２０００ではターンシグナルスイッチから信号が入力されない場合、即ちシステムが非動作の状態においても、常に電流値Ｉの大きさの定電流が流れるために消費電流が大きいという問題がある。
従って、本発明の目的は、上記課題に鑑み、システムの非動作時における消費電流が低減した定電流供給装置を提供することであり、合わせて電流流路の切り換え時における出力誤動作を防止することである。
【０００４】
【課題を解決するための手段】
上記の課題を解決するために、請求項１に記載の手段を採用することができる。この手段によると定電流供給装置を第一のカレントミラー回路と、その第二のトランジスタの負荷電流に等しい電流を１つ以上の負荷回路に供給する第二のカレントミラー回路とで構成する。そして第一のトランジスタの２つの負荷回路を並列接続させ、バイパス回路の第一の制御トランジスタを介し制御信号により一方の負荷回路に流れる電流を第一のトランジスタに流れないようにする。
このような構成とすることにより、システムの非動作時にバイパス回路の第一の制御トランジスタを用いて一方の負荷回路に流れる電流を第一のトランジスタに流れないようにすることができ、定電流供給装置の電流消費量を減少させることができる。
【０００５】
更に、システムの非動作時に第一の制御トランジスタの制御信号に応じて動作する第二の制御トランジスタを用いて、２値状態を出力する出力トランジスタを導通または非導通とすることができるため、システムの動作時から非動作時への切り換えにより電流流路が切り換わる際の出力の誤動作を防止することができる。
【０００６】
【発明の実施の形態】
以下、本発明を具体的な実施例に基づいて説明する。
図１は、本発明に係わる第一実施例の構成を示した電気回路図である。車両のターンシグナルランプの点滅などに用いられる定電流回路装置１０００（定電流供給装置に相当）は、２つの入力端子ＩＮ６、ＩＮ７を有している。入力端子ＩＮ６は、バッファ６６を介して可変定電流回路１００（バイパス回路に相当）、及びインバータ７０を制御する出力制御回路１０１に接続されている。また入力端子ＩＮ７はバッファ６７を介して、出力制御回路１０１に接続されている。可変定電流回路１００と出力制御回路１０１との間には、カレントミラー回路１０２（第二のカレントミラー回路に相当）、１０４（第一のカレントミラー回路に相当）及び内部ロジック回路Ｘ１、Ｘ２が配され、それぞれ可変定電流回路１００と接続されている。また出力制御回路１０１は、トランジスタ３４を介してカレントミラー回路１０２と接続されている。
【０００７】
カレントミラー回路１０４はＮＰＮトランジスタ２８（第一のトランジスタに相当）及び２９（第二のトランジスタに相当）のベース（制御端子に相当）が接続点Ｊ１で接続されている。そして接続点Ｊ１はトランジスタ２８のコレクタと接続点Ｊ２で接続されている。トランジスタ２８、２９のそれぞれのエミッタ（キャリア流入端子に相当）は、接地側電位ＶＢ  に接続されている。
可変定電流回路１００は、定電流切り替え機能を有する回路である。ダイオード５３及び５４のカソードは共通に接続点Ｊ２で接続され、ダイオード５３及び５４のアノードはそれぞれ定電流を供給する定電流源６８及び６９（２つの定電流源に相当）を介して電源ＶＡ  に接続されている。定電流源６９とダイオード５４の接続点Ｊ９には、トランジスタ２８へ流れる定電流の値を切り替える手段としてのトランジスタ２７（第一の制御トランジスタに相当）が、そのコレクタで接続されており、トランジスタ２７のエミッタは接地側電位ＶＢ  に接続されている。
ダイオード５３及び５４のカソードと、トランジスタ２８のコレクタ、ベース、及びトランジスタ２９のベースとが接続点Ｊ２で接続されることで、可変定電流回路１００とカレントミラー回路１０４とが接続されている。
【０００８】
カレントミラー回路１０２は、内部ロジック回路Ｘ１、Ｘ２に定電流を供給する回路である。ＰＮＰトランジスタ３０、３１、３２、及び３４のベースは接続点Ｊ３、Ｊ７、Ｊ８で共通に接続されている。トランジスタ３０、３１、３２、及び３４のエミッタはそれぞれ電源ＶＡ  と接続されている。
接続点Ｊ３にはＰＮＰトランジスタ３００のエミッタが接続されており、そのベースは接続点Ｊ４でトランジスタ３０のコレクタに接続されている。トランジスタ３００のコレクタは接地側電位ＶＢ  に接続されている。
トランジスタ２９のコレクタは接続点Ｊ４で接続され、これによりカレントミラー回路１０２とカレントミラー回路１０４が接続されている。
【０００９】
内部ロジック回路Ｘ１、Ｘ２は、それぞれ出力端子Ｙ１、Ｙ２にハイもしくはローレベルの定電流を出力する回路である。トランジスタ３１、３２のコレクタは、それぞれＮＰＮトランジスタ５８、５９のベースに接続されている。トランジスタ５８、５９のコレクタは、それぞれ定電流を供給する定電流源６１、６２を介して電源ＶＡ  に接続されている。トランジスタ５８と定電流源６１との接続点Ｊ１０、及びトランジスタ５９と定電流源６２との接続点Ｊ１１にはそれぞれ出力端子Ｙ１、Ｙ２が接続されている。またトランジスタ５８，５９のそれぞれのエミッタは、接地側電位ＶＢ  に接続されている。
【００１０】
出力制御回路１０１は、インバータ７０の出力を制御する回路である。電流供給能力を有する素子Ｚ１は、ＮＰＮトランジスタ３５、３６（第二の制御トランジスタに相当）のコレクタ、抵抗器４７、及びＮＰＮトランジスタ３７（出力トランジスタに相当）のベース（制御端子に相当）に接続点Ｊ６で接続されている。トランジスタ３５、３６、及び３７のエミッタと、抵抗器４７の接続点Ｊ６と異なる側の端部とは、接地側電位ＶＢ  に接続されている。またトランジスタ３７のコレクタは、抵抗器４８を介して電源ＶＡ  に接続されている。トランジスタ３７と抵抗器４８との接続点Ｊ５には、インバータ７０を介して出力端子ＯＵＴ１が接続されており、この出力端子ＯＵＴ１はハイもしくはローレベルの出力が得られる構成となっている。
出力制御回路１０１とカレントミラー回路１０２とは、素子Ｚ１とトランジスタ３４のコレクタとを介して接続されている。
【００１１】
可変定電流回路１００のトランジスタ２７のベース、及び出力制御回路１０１のトランジスタ３６のベースは、それぞれ抵抗器５６、５７を介してバッファ６６に接続され、さらにバッファ６６を介して入力端子ＩＮ６に接続されている。また、出力制御回路１０１のトランジスタ３５のベースは、バッファ６７を介して入力端子ＩＮ７に接続されている。
【００１２】
次に、上記構成から成る定電流回路装置１０００の動作について以下に説明する。
定電流源６８及び６９から供給される電流値をそれぞれＩ２  、Ｉ１  に設定し、入力端子ＩＮ６からハイレベルを入力すると、バッファ６６はトランジスタ２７及び３６をＯＮ動作させる。この動作によって、定電流源６９から供給される電流値Ｉ１  はトランジスタ２７を介して接地側電位ＶＢ  に流れるため、カレントミラー回路１０４のトランジスタ２８に注入する定電流値を（Ｉ１  ＋Ｉ２  ）からＩ２  に減少させることができる。よって、トランジスタ３０からトランジスタ２９に流れるミラー電流値Ｉ３  も同様に減少させることができる。
従って、カレントミラー回路１０２内においてトランジスタ３０とベースを共有するトランジスタ３１、３２、及び３４の定電流値も全て（Ｉ１  ＋Ｉ２  ）からＩ２  に減少させることができる。このように、入力端子ＩＮ６にハイレベルが入力されることによって、電源ＶＡ  から定電流回路装置１０００へ流れ込む電流を減少させ、回路装置１０００全体の消費電流を減少させることができる。
よって、回路装置１０００の非動作時に入力端子ＩＮ６からハイレベルに固定された信号が入力される構成とすることにより、従来問題であった回路装置１０００の非動作時における過剰な消費電流を抑制することができる。
【００１３】
また入力端子ＩＮ６からハイレベルが入力されると、バッファ６６によりトランジスタ２７と共にトランジスタ３６がＯＮ動作される。トランジスタ３６がＯＮ動作されることにより、トランジスタ３７のベース電流がカットオフされる。従って、トランジスタ３１、３２、及び３４の定電流値が複数の素子を経て（Ｉ１  ＋Ｉ２  ）からＩ２  に減少するまでの動作より、インバータ７０の出力のカットオフを早く行うことができる。
即ち、上記構成とすることにより消費電流低減のための電流流路の切り換え時での出力の誤動作を防止することができる。
【００１４】
一方、入力端子ＩＮ６にローレベルを入力すると、バッファ６６はトランジスタ２７、３６をカットオフさせる。この動作によって、カレントミラー回路１０４のトランジスタ２８へ流れる電流値をＩ２  から（Ｉ１  ＋Ｉ２  ）に増加させることができる。よって、トランジスタ３０からトランジスタ２９に流れるミラー電流値Ｉ３  も同様に増加させることができる。
従って、カレントミラー回路１０２内においてトランジスタ３０とベースを共有するトランジスタ３１、３２、及び３４の定電流値も全てＩ２  から（Ｉ１  ＋Ｉ２  ）に増加させることができる。このように、入力端子ＩＮ６にローレベルが入力されることによって、電源ＶＡ  から定電流回路装置１０００へ流れ込む電流を増加させ、回路装置１０００全体の消費電流を増加させることができる。よって、回路装置１０００の動作時に入力端子ＩＮ６からローレベルに固定された信号が入力される構成とすることにより、システム動作時に必要な消費電流を各部に供給することができる。
【００１５】
さらに、図１に示されるように出力制御回路１０１内に素子Ｚ１及び抵抗器４７を設けることにより、トランジスタ３７におけるベース−エミッタ間の電圧をＶＢＥ−Ｔ３７とし、抵抗器４７の抵抗値をＲ４７とすると、電流値ＩＡ  （＝ＶＢＥ−Ｔ３７／Ｒ４７）を超えるまでトランジスタ３７がＯＮ動作しないようにすることができる。即ちトランジスタ３７を流れる電流が電流値ＩＡ  を超えるまで、インバータ７０を動作しないような構成とすることができる。
従って、電流値ＩＡ  を任意に設定することにより、回路装置１０００を構成する素子間にバラツキがあっても、トランジスタ３７の動作を遅延させることができるため、消費電力増加時の出力誤動作を防止することができる。
【００１６】
尚、上記実施例では、定電流回路装置を構成する各トランジスタに接合型のトランジスタを用いたが、本発明はこれに限定されるものではなく、電界効果型のトランジスタを用いて定電流回路装置を構成してもよい。
【００１７】
上記に示されるように、本発明によれば、定電流回路装置において定電流値の増減時の出力誤動作を防止することができると共に、システムの非動作時における消費電流を減少させることができる。また消費電流の増減の切り換えとその電流値は任意に設定可能である。さらに、システムの非動作時においても回路装置全体を活性状態にしておくことができ、種々の入力に対して十分に対応することができる。
【図面の簡単な説明】
【図１】本発明に係わる第一実施例の構成を示した電気回路図。
【図２】従来の定電流回路装置の構成を示した電気回路図。
【符号の説明】
２７〜２９、３５〜３７、５８、５９      ＮＰＮトランジスタ
３０〜３２、３４、３００                ＰＮＰトランジスタ
４７〜４９、５６、５７                  抵抗器
Ｚ１                                    電流供給能力を有する素子
５３、５４                              ダイオード
６６、６７                              バッファ
７０                                    インバータ
１０００                                定電流回路装置
ＶＡ                                      電源
ＶＢ                                      接地側電位
【図１】
0003562071.tif 000002
【図２】
0003562071.tif 000003